(57)【要約】      （修正有）【課題】汗などの侵入によって剥がれ落ちることなく、取付け作業も容易であるノーズパッド用厚さ調整材を提供する。【解決手段】略半円形の平面形状を有し、表面側に盛り上がり部３が、裏面側に粘着材層がそれぞれ形成されたシリコーンゴム製のパッド片２と、パッド片の側縁に一体的に接続された帯状の接続片５と、パッド片よりわずかに小さい略相似形で、パッド片と円弧状側縁同士が向かい合った状態で間隔をあけて対向し、接続片によって一体的にパッド片に接続され、裏面側に粘着剤層が形成された固定補助片とからなる本体１の裏面に、ほぼ同じ平面形状の剥離紙が貼付されると共に、剥離紙の接続片に対応する位置には、接続片を横断する方向に切り込みが入れられている。【選択図】図１
0003223828.tif 000002
【実用新案登録請求の範囲】
【請求項１】
固定対象であるノーズパッドの平面形状に適合する略半円形の平面形状を有し、表面側に肉厚が漸増した盛り上がり部が、裏面側に粘着材層がそれぞれ形成されたシリコーンゴム製のパッド片と、前記パッド片の円弧状側縁に一体的に接続された帯状をなし、裏面側に粘着剤層が形成されたシリコーンゴム製の接続片と、前記パッド片よりわずかに小さい略相似形で、パッド片と円弧状側縁同士が向かい合った状態で間隔をあけて対向しており、前記接続片によって一体的にパッド片に接続され、裏面側に粘着剤層が形成されたシリコーンゴム製の固定補助片とからなる本体の裏面に、ほぼ同じ平面形状をなした剥離紙が貼付されており、この剥離紙の接続片に対応する位置には、この接続片を横断する方向に切り込みが入れられていることを特徴とするノーズパッド用厚さ調整材。
【考案の詳細な説明】
【技術分野】
【０００１】
この考案は、メガネの調整用部材、詳しくはノーズパッドの厚さの調整に用いる部材に関する。
【背景技術】
【０００２】
「鼻当て」とも呼ばれるノーズパッドは、メガネを装用者の鼻に固定させる為の部材であり、メガネのズリ落ちを防ぎ、適正位置にメガネを保持させる為にはなくてはならない重要な部材である。
【先行技術文献】
【特許文献】
【０００３】
【特許文献１】実用新案登録第３１５７３４８号
【非特許文献】
【０００４】
【非特許文献１】なし
【考案の概要】
【考案が解決しようとする課題】
【０００５】
メガネ装用者の鼻のサイズは区々であるので、メガネを適正位置に保持させるには、装用者の鼻のサイズにノーズパッドが適合していることが必要である。  しかしながら、プラスチック製のメガネフレームにおいては、リムとノーズパッドとが一体化しているものが多く、このタイプのメガネフレームでは、ノーズパッドの厚さの調整は構造上不可能であり、顔面にフィットしないメガネをそのまま装用しなければならない場合も多く、メガネのズリ落ちを防ぐことは困難であった。
【０００６】
この為、鼻盛り部材と称して、ノーズパッドの表面に貼り付け、その厚さを調整する部材も提案されているが、貼り付け後に部分的にストレスが生じ、剥がれやすくなったり、ノーズパッドとの接合面に汗などが侵入し、剥離してしまう場合があり、信頼性や耐久性において問題があった。又、貼り付け作業もむずかしく、適正位置からずれて貼り付けられる場合もあり、作業性においても問題があった。
【０００７】
本考案者はノーズパッドに関する上記問題点を解決すべく鋭意研究を行った結果、部分的にストレスを生じさせることなく、ノーズパッドに強固に固定出来、汗などの侵入によって剥離するおそれもほとんとなく、貼り付け作業も容易なノーズパッド用の厚さ調整材を開発することに成功し、本考案としてここに提案するものである。
【課題を解決するための手段】
【０００８】
固定対象であるノーズパッドの平面形状に適合する略半円形の平面形状を有し、表面側に肉厚が漸増した盛り上がり部が、裏面側に粘着材層がそれぞれ形成されたシリコーンゴム製のパッド片と、前記パッド片の円弧状側縁に一体的に接続された帯状をなし、裏面側に粘着剤層が形成されたシリコーンゴム製の接続片と、前記パッド片よりわずかに小さい略相似形で、パッド片と円弧状側縁同士が向かい合った状態で間隔をあけて対向しており、前記接続片によって一体的にパッド片に接続され、裏面側に粘着剤層が形成されたシリコーンゴム製の固定補助片とからなる本体の裏面に、ほぼ同じ平面形状をなした剥離紙が貼付されており、この剥離紙の接続片に対応する位置には、この接続片を横断する方向に切り込みが入れられているノーズパッド用厚さ調整材により、上記課題を解決した。
【考案の効果】
【０００９】
パッド片の裏面の剥離紙を剥がし、この部分の粘着剤層を露出させ、このパッド片の粘着剤層をプラスチックフレームのノーズパッドの表面側に貼付し、その後、固定補助片の裏面の剥離紙を剥がし、これをノーズパッドの裏面側に貼付することにより、プラスチックフレームのノーズパッドに挟み貼りして使用に供するものであり、盛り上がり部によってノーズパッドの厚さが調整され、ノーズパッドが装用者の鼻に安定的に接することになり、メガネフレームのズリ落ちが阻止される。その際、このノーズパッド用厚さ調整材はプラスチックフレームのノーズパッドの表面側だけではなく、固定補助片によってその裏面側にも貼着され、挟み貼りの状態になっているが、パッド片と固定補助片とを一体的に繋ぐ接続片は帯状で十分な長さを有しているので、これにより、挟み貼りの強度が向上し、各部分へのストレスもなくなり、確実かつ安定的な固定が行われ、汗等の侵入による剥がれのおそれもほとんどなく、すぐれた耐久性、信頼性を有している。
又、剥離紙の接続片に対応する位置には、この接続片を横断する方向に切り込みが入れられているので、この切り込みに沿って剥離紙を剥がせば、柔軟なシリコーンゴム製のパッド片及び固定補助片からの剥離作業及び貼付作業を的確かつ効率的に実施することが可能で、すぐれた作業性を有している。
【図面の簡単な説明】
【００１０】
【図１】この考案に係るノーズパッド用厚さ調整材の一実施例の拡大平面図。
【図２】同じく、図１を矢視Ａ方向から見たその側面図。
【図３】同じく、図１を矢視Ｂ方向から見たその側面図。
【図４】同じく、その底面図。
【図５】この考案に係るノーズパッド用厚さ調整材の一実施例をメガネフレームのノーズパッドに取付け様としている状況の説明図。
【図６】同じく、パッド片のみをノーズパッドの表面に貼付した状況の説明図。
【図７】同じく、パッド片と固定補助片をノーズパッドの表裏面に貼付し、取付けを完了した状況の説明図。
【考案を実施するための形態】
【００１１】
ノーズパッドの表面側に貼付されるシリコーンゴム製のパッド片とその裏面側に貼付されるシリコーンゴム製の固定補助片とを帯状の接続片によって一体化すると共に、その裏面に剥離紙と貼付し、この剥離紙の接続片に対応する位置に、この剥離紙を横断する方向に切り込みを入れた点に最大の特徴が存する。
【実施例】
【００１２】
図１はこの考案に係るノーズパッド用厚さ調整材の一実施例の平面図、図２はその側面図である。
図中１はこのノーズパッド用厚さ調整材の本体、２はその構成部材であるパッド片であり、パッド片２は軟らかく弾性のあるシリコーンゴムを素材としており、略半円形の平面形状を有し、その表面側には肉厚が漸増した盛り上がり部３が、裏面側には粘着材層４がそれぞれ形成されている。
【００１３】
一方、５は接続片であり、前記パッド片２と同じシリコーンゴムを素材としており、細長い帯状をなし、パッド片２の円弧状側縁に一体的に接続されている。
【００１４】
又、６は固定補助片であり、前記パッド片２と同じシリコーンゴムを素材とし、パッド片２よりわずかに小さい略相似形をなし、パッド片２と円弧状側縁同士が向かい合う様に間隔をあけて対向しており、前記接続片５によって一体的にパッド片２に接続されている。
【００１５】
つまり、パッド片２と固定補助片６とは、接続片５を介して一体化しており、これらは一つの金型によって射出成形の手法により作り出される。
【００１６】
そして、これらパッド片２、接続片５、固定補助片6が一体化されて本体１の裏面には、図４に示す様に、それとほぼ同じ平面形状をなした剥離紙７が貼付されており、この剥離紙７の接続片５に対応する位置には、この接続片5を横断する方向に切り込み８が入れられている。
なお、この図４に示す実施例においては、切り込み８は接続片５を完全に切断する状態になっているが、所謂ミシン目の様に、一部において繋がっている状態のものであっても良い。
【００１７】
この実施例は上記の通りの構成を有するものであり、パッド片２の裏面の剥離紙7を剥がし、この部分の粘着剤層４を露出させ、図６に示す様に、このパッド片２の粘着剤層４をプラスチックフレーム９のノーズパッド１０の表面側に貼付し、その後、固定補助片６の裏面の剥離紙７を剥がし、固定補助片６の粘着剤層４をノーズパッド１０の裏面側に貼付することにより、プラスチックフレーム９のノーズパッド１０に挟み貼りして使用に供するものであり、盛り上がり部３によってノーズパッド１０は装用者の鼻に安定的に接することにより、メガネフレームのズリ落ちが阻止される。
【００１８】
その際、このノーズパッド用厚さ調整材は、プラスチックフレーム９のノーズパッド１０の表面側だけではなく、固定補助片６によってその裏面側にも貼着され、挟み貼りの状態になっているが、パッド片２と固定補助片６とを一体的に繋ぐ接続片５は帯状で十分な長さを有しているので、これにより挟み貼りの強度が向上し、各部分へのストレスもなくなり、確実かつ安定的な固定が行われ、汗等の侵入による剥がれのおそれもほとんどなく、すぐれた耐久性、信頼性を有している。
【００１９】
又、剥離紙７の接続片５に対応する位置には、この接続片５を横断する方向に切り込み８が入れられているので、この切り込み８に沿って剥離紙７を剥がせば、柔軟なシリコーンゴム製のパッド片２及び固定補助片６からの剥離作業及び貼付作業を的確かつ効率的に実施することが可能で、すぐれた作業性を有している。
【産業上の利用可能性】
【００２０】
視力矯正用メガネだけではなく、サングラス等、あらゆるメガネに利用可能である。
【符号の説明】
【００２１】
１．本体
２．パッド片
３．盛り上がり部
４．粘着剤層
５．接続片
６．固定補助片
７．剥離紙
８．切り込み
９．プラスチックフレーム
１０．ノーズパッド
【図１】
0003223828.tif 000003
【図２】
0003223828.tif 000004
【図３】
0003223828.tif 000005
【図４】
0003223828.tif 000006
【図５】
0003223828.tif 000007
【図６】
0003223828.tif 000008
【図７】
0003223828.tif 000009